(57)【要約】【課題】ツルを折り畳んだ際の厚みが薄く、携帯性に優れた眼鏡を提供すること。【解決手段】本考案に係る眼鏡は、一対のレンズを保持するフレームと、フレームの両端に各々設けられた開口に一端が挿入された一対のツルと、を備え、ツルは、一端を回転軸としてフレームに対して相対的に回転されることで折り畳まれることを特徴とする。【選択図】図１
0003224253.tif 000002
【実用新案登録請求の範囲】
【請求項１】
一対のレンズを保持するフレームと、
前記フレームの両端に各々設けられた開口に一端が挿入された一対のツルと、を備え、
前記ツルは、
前記一端を回転軸として前記フレームに対して相対的に回転されることで折り畳まれることを特徴とする眼鏡。
【請求項２】
前記フレームの開口は、
前記フレームの上縁側から前記フレームの下縁側の途中まで開口した第１開口と、前記第１開口の一端と連通し、前記第１開口の長手方向に対して垂直又は略垂直に長手方向が開口した第２開口とを有し、
前記ツルの前記一端は、
前記第１開口に沿って挿入される第１挿入部と、前記第２開口に挿入される第２挿入部とを有する、ことを特徴とする請求項１に記載の眼鏡。
【請求項３】
前記第１開口は、
前記フレームの正面側又は背面側に開口し、
前記第２開口は、
前記フレームの背面側又は正面側に開口していることを特徴とする請求項２に記載の眼鏡。
【請求項４】
前記第１開口内に設けられ、前記ツルの前記第１開口からの抜けを抑制する第１突起部と、
前記第２開口内に設けられ、前記ツルを前記フレームに対して所定の向きに係止する第２突起部と、
を備えることを特徴とする請求項２又は請求項３に記載の眼鏡。
【請求項５】
前記ツルは、
前記フレームと同一平面内で前記フレームの上縁に沿って折り畳まれ、該折り畳まれた状態で前記フレームの上縁の上側に位置することを特徴とする請求項１乃至請求項４のいずれかに記載の眼鏡。
【考案の詳細な説明】
【技術分野】
【０００１】
本考案は、眼鏡に関し、特に、折り畳んだときの厚みが薄い薄型眼鏡に関する。
【背景技術】
【０００２】
従来の眼鏡は、ツルを折り畳んだ状態でかなりの肉厚があることから、嵩張って荷物になるなどの問題から、眼鏡を薄型に折り畳んで胸ポケットなどに入れて持ち運べる眼鏡の提案が種々なされている。
【０００３】
例えば、左右のレンズを保持するフロント部及び折り畳み自在なツルを有し、薄型に折り畳むことが可能な薄型眼鏡において、フロント部を構成するフロントフレームの外形に形成されたレンズシート製の基体と、基体のレンズを除く部分に、フルリム、ハーフリム又はリムレスのフレームの形状が印刷等されたフレーム部と、を有する薄型眼鏡が提案されている（特許文献１参照）。
【０００４】
上記の薄型眼鏡では、フルリム、ハーフリム又はリムレスの眼鏡のフロントフレームを、レンズシートと同じ肉厚で形成することができ、フロント部の裏面にツルを折り畳む場合は、フロント部の肉厚とツルの肉厚の和と同程度のものとすることができ、フロント部の上下にツルを折り畳む場合は、フロント部又はツルの肉厚と同程度のものとすることができるとしている。
【先行技術文献】
【特許文献】
【０００５】
【特許文献１】特開２０１９−０３５９８７号公報
【考案の概要】
【考案が解決しようとする課題】
【０００６】
以上のように、携帯性を考慮して、ツルを折り畳んだ際に、厚みができる限り薄い眼鏡が求められている。
本考案は、上記課題の解決のためになされたものであり、ツルを折り畳んだ際の厚みが薄く、携帯性に優れた眼鏡を提供することを目的とする。
【課題を解決するための手段】
【０００７】
上記の課題を解決すべく、本考案に係る眼鏡は、一対のレンズを保持するフレームと、フレームの両端に各々設けられた開口に一端が挿入された一対のツルと、を備え、ツルは、一端を回転軸として前記フレームに対して相対的に回転されることで折り畳まれることを特徴とする。
【考案の効果】
【０００８】
以上説明したように、本考案によれば、ツルを折り畳んだ際の厚みが薄く、携帯性に優れた眼鏡を提供することができる。
【図面の簡単な説明】
【０００９】
【図１】実施形態に係る眼鏡の正面側の斜視図である。
【図２】実施形態に係る眼鏡の背面側の斜視図である。
【図３】実施形態に係る眼鏡の第1状態の三面図である。
【図４】実施形態に係る眼鏡の第２状態の三面図である。
【図５】実施形態に係る眼鏡の智及びツルの一部拡大図である（右側）。
【図６】実施形態に係る眼鏡の智及びツルの一部拡大図である（左側）。
【図７】実施形態に係る眼鏡のツルの折り畳み動作を示す一部拡大図である。
【考案を実施するための形態】
【００１０】
[実施形態]
図１は、実施形態に係る眼鏡１を正面側から見た斜視図であり、図１（ａ）は、一対のツル３０，４０を伸ばした状態、換言すると、眼鏡１を掛ける際の状態（以下、第1状態ともいう）の斜視図、図１（ｂ）は、一対のツル３０，４０を折り畳んだ状態（以下、第２状態ともいう）の斜視図である。また、図２は、実施形態に係る眼鏡１の背面側から見た斜視図であり、図２（ａ）は、第1状態の斜視図、図２（ｂ）は、第２状態の斜視図である。
【００１１】
図１及び図２に示すように、眼鏡１は、一対のレンズ１０Ａ，１０Ｂを保持するフレーム２０と、フレーム２０の両端に各々設けられた開口２１０，２２０に一端３１０，４１０が挿入された一対のツル３０，４０とを備えている。フレーム２０は、一対のリム部２０Ａ，２０Ｂ、ブリッジ２０Ｃ、一対のノーズパッド２０Ｄ，２０Ｅ、一対の智２０Ｆ，２０Ｇを備えている。なお、本実施形態に係る眼鏡１のフレーム２０は、一対のリム部２０Ａ，２０Ｂ、ブリッジ２０Ｃ、一対のノーズパッド２０Ｄ，２０Ｅ、一対の智２０Ｆ，２０Ｇが一体に形成されているが、必ずしも一体に形成されている必要はない。
【００１２】
一対のリム部２０Ａ，２０Ｂは、一対のレンズ１０Ａ，１０Ｂを保持する。ブリッジ２０Ｃは、一対のリム部２０Ａ，２０Ｂを接続する。ノーズパッド（鼻受部）２０Ｄ，２０Ｅは、各々リム部２０Ａ，２０Ｂの背面側に設けられ、眼鏡１を掛けた状態で人（以下、ユーザともいう）の鼻に当接して眼鏡１のずり落ち等を防止する。智２０Ｆ，２０Ｇは、ブリッジ２０Ｃとは反対側の端部に設けられており、各々ツル３０，４０の一端３１０，４１０を挿入するための開口２１０，２２０を備えている。
【００１３】
図３は、実施形態に係る眼鏡１の第１状態の三面図である。図３（ａ）は、眼鏡１を正面側から見た正面図、図３（ｂ）は、眼鏡１を上側から見た上面図、図３（ａ）は、眼鏡１を正面向かって右側から見た側面図である。図３（ｂ）に示すように、眼鏡１のツル３０，４０の後端３１３，４１３側は、ユーザの後頭部の形状に沿う（フィットする）ように、内側に向かってカーブした形状となっている。また、一般的な眼鏡では、ツルの後端側は、ユーザの耳から外れないようにするため、フレーム２０の上縁Ｆ１から下縁Ｆ２（以下、単に下側ともいう）にむかってかなりカーブした形状となっているが、図３（ｃ）に示すように、本実施形態に係る眼鏡１のツル３０，４０の後端３１３，４１３側は、ユーザの耳に掛かるように、下側にむかって軽くカーブした形状となっている。この理由は、図４にて説明する。
【００１４】
図４は、実施形態に係る眼鏡１の第２状態の三面図である。図４（ａ）は、眼鏡１を正面側から見た正面図、図４（ｂ）は、眼鏡１を上側から見た上面図、図４（ａ）は、眼鏡１を正面向かって右側から見た側面図である。図４（ａ）に示すように、眼鏡１のツル３０，４０の後端３１３，４１３側の形状は、ツル３０，４０を折り畳んだ状態で、フレーム２０の智２０Ｆ，２０Ｇ側の上縁Ｆ１の形状に沿うように形成されている。つまり、ツル３０，４０を折り畳んだ状態で、フレーム２０の智２０Ｆ，２０Ｇ側の上縁Ｆ１の形状に沿わせるために、図３で説明したように、眼鏡１のツル３０，４０の後端３１３，４１３側が下側にむかって軽くカーブした形状となっている。このように本実施形態の眼鏡１は、眼鏡１のツル３０，４０の後端３１３，４１３側の形状が、ツル３０，４０を折り畳んだ状態で、フレーム２０の智２０Ｆ，２０Ｇ側の上縁Ｆ１の形状に沿うように形成されているため、ツル３０，４０を折り畳んだ際に非常にコンパクトとなり、また意匠的にも美しい印象を与えることができる。
【００１５】
また、図４（ｂ）及び図４（ｃ）に示すように、眼鏡１のツル３０，４０は、フレーム２０と同一平面内でフレーム２０の上縁Ｆ１に沿って折り畳まれ、該折り畳まれた状態でフレーム２０の上縁Ｆ１の上側に位置する。このように、ツル３０，４０を折り畳んだ際に、ツル３０，４０がフレーム２０の上縁Ｆ１の上側に位置するため、ツル３０，４０を折り畳んだ際の厚みをフレーム２０の厚みと同一又は略同一とすることができる。
【００１６】
図５は、実施形態に係る眼鏡の智２０Ｆ及びツル３０の一部拡大図（眼鏡１の正面Ｆ３に向かって右側）である。また、図６は、実施形態に係る眼鏡の智２０Ｇ及びツル４０の一部拡大図（眼鏡１の正面Ｆ３に向かって左側）である。図５及び図６に示すように、眼鏡１のフレーム２０の開口２１０，２２０は、フレーム２０の上縁Ｆ１側からフレーム２０の下縁Ｆ２側の途中まで開口した第１開口２１１，２２１と、第１開口２１１，２２１の一端と連通し、第１開口２１１，２２１の長手方向に対して垂直又は略垂直に長手方向が開口した第２開口２１２，２２２とを有している。
【００１７】
また、ツル３０，４０の一端３１０，４１０は、第１開口２１１，２２１に沿って挿入される第１挿入部３１１，４１１と、第１挿入部３１１，４１１に対して直角又は直角に折り曲げられ、第２開口２１２，２２２に挿入される第２挿入部３１２，４１２とを有する。このように、フレーム２０の第１開口２１１，２２１に沿って挿入されたツル３０，４０の第１挿入部３１１，４１１が、第１開口２１１，２２１内で回転し、かつ、フレーム２０の第２開口２１２，２２２に沿って挿入されたツル３０，４０の第２挿入部３１２，４１２が、第２開口２１２，２２２を形成するフレーム２０の内壁面に当接することにより、第１挿入部３１１，４１１の回転動作を所定範囲内に制限するため、ツル３０，４０の展開（第１状態）及び折り畳み（第２状態）を容易に変更することができる。
【００１８】
また、本実施形態に係る眼鏡１の第１開口２１１，２２１は、フレーム２０の背面４Ｆ側に開口し、第２開口２１２，２２２は、フレーム２０の正面３Ｆ側に開口している。
【００１９】
さらに、本実施形態に係る眼鏡１は、フレーム２０の第１開口２１１，２２１内に設けられ、ツル３０，４０の第１開口２１１，２２１からの抜けを抑制する一対の第１突起部２１３，２２３と、第２開口２１２，２２２内に設けられ、ツル３０，４０をフレーム２０に対して所定の向きに係止して、ツル３０，４０の位置を第1状態及び第２状態に保持する一対の第２突起部２１４，２２４とを備えている。このように、一対の第１突起部２１３，２２３により、ツル３０，４０がフレーム２０から抜けるのを抑制することができる。また、ツル３０，４０をフレーム２０に対して所定の向きに係止する一対の第２突起部２１４，２２４により、ツル３０，４０を展開した状態（第１状態）とツル３０，４０を折り畳んだ状態（第２状態）とを保持することができる。
【００２０】
図７は、実施形態に係る眼鏡１のツルの折り畳み動作を示す一部拡大図である。図７（ａ）は、眼鏡１の第１状態を示す図、図７（ｂ）は、眼鏡１の第２状態を示す図である。なお、図７では、ツル３０側の動作だけを図示しているが、ツル４０側についても動作が左右逆となるだけである（鏡映の関係）。
【００２１】
眼鏡１のツル３０，４０を折り畳む際は、眼鏡１のツル３０，４０の一端３１０，４１０を回転軸として、ツル３０，４０をフレーム２０の内側に向かって回転させることで、フレーム２０の第１開口２１１，２２１に沿って挿入されたツル３０，４０の第１挿入部３１１，４１１が、第１開口２１１，２２１内で回転し、かつ、フレーム２０の第２開口２１２，２２２に沿って挿入されたツル３０，４０の第２挿入部３１２，４１２が、第２開口２１２，２２２を形成するフレーム２０の内壁面に当接して、図７（ａ）に示す眼鏡１を掛ける際の第１状態から図７（ｂ）に示すツル３０，４０を折り畳んだ第２状態とすることができる。また、ツル３０，４０をフレーム２０に対して所定の向きに係止する一対の第２突起部２１４，２２４により第２状態が保持される。
【００２２】
眼鏡１のツル３０，４０を展開する際は、眼鏡１のツル３０，４０の一端３１０，４１０を回転軸として、ツル３０，４０をフレーム２０の外側に向かって回転させることで、フレーム２０の第１開口２１１，２２１に沿って挿入されたツル３０，４０の第１挿入部３１１，４１１が、第１開口２１１，２２１内で回転し、かつ、フレーム２０の第２開口２１２，２２２に沿って挿入されたツル３０，４０の第２挿入部３１２，４１２が、第２開口２１２，２２２を形成するフレーム２０の内壁面に当接して、図７（ｂ）に示すツル３０，４０を折り畳んだ第２状態から図７（ａ）に示す眼鏡１を掛ける際の第１状態とすることができる。また、ツル３０，４０をフレーム２０に対して所定の向きに係止する一対の第２突起部２１４，２２４により第１状態が保持される。
【００２３】
なお、上記実施形態では、眼鏡１の第１開口２１１，２２１は、フレーム２０の背面４Ｆ側に開口し、第２開口２１２，２２２は、フレーム２０の正面３Ｆ側に開口しているが、眼鏡１の第１開口２１１，２２１をフレーム２０の正面３Ｆ側に開口し、第２開口２１２，２２２をフレーム２０の背面４Ｆ側に開口するようにしてもよい。
【００２４】
以上のように、本実施形態に係る眼鏡１は、一対のレンズ１０Ａ，１０Ｂを保持するフレーム２０と、フレーム２０の両端に各々設けられた開口２１０，２２０に一端３１０，４１０が挿入された一対のツル３０，４０とを備えている。そして、ツル３０，４０は、一端３１０，４１０を回転軸としてフレーム２０に対して相対的に回転されることで折り畳まれるため、ツル３０，４０を折り畳むための蝶番が不要となる。このため、眼鏡１は、ツル３０，４０を折り畳んだ状態（第２状態）での厚みを薄くすることができ、非常にコンパクトとなる。眼鏡には主に近眼用及び老眼用の眼鏡があるが、老眼鏡は掛け外しが頻繁に行われ、身に付け易い薄い軽い物が好まれているが、本実施形態に係る眼鏡１は、このような老眼鏡に特に好適である。また、蝶番を有していないことで非常に意匠性がよく、ユーザにスタイリッシュな印象を与えることができる。
【００２５】
また、本実施形態に係る眼鏡１のフレーム２０の開口２１０，２２０は、フレーム２０の上縁Ｆ１側からフレーム２０の下縁Ｆ２側の途中まで開口した第１開口２１１，２２１と、第１開口２１１，２２１の一端と連通し、第１開口２１１，２２１の長手方向に対して垂直又は略垂直に長手方向が開口した第２開口２１２，２２２とを有している。また、ツル３０，４０の一端３１０，４１０は、第１開口２１１，２２１に沿って挿入される第１挿入部３１１，４１１と、第２開口２１２，２２２に挿入される第２挿入部３１２，４１２とを有する。このように、フレーム２０の第１開口２１１，２２１に沿って挿入されたツル３０，４０の第１挿入部３１１，４１１が、第１開口２１１，２２１内で回転し、かつ、フレーム２０の第２開口２１２，２２２に沿って挿入されたツル３０，４０の第２挿入部３１２，４１２が、第２開口２１２，２２２を形成するフレーム２０の内壁面に当接することにより、第１挿入部３１１，４１１の回転動作を所定範囲内に制限するため、ツル３０，４０を展開した状態（第１状態）及び折り畳んだ状態（第２状態）を容易に変更することができる。
【００２６】
また、本実施形態に係る眼鏡１の第１開口２１１，２２１は、フレーム２０の正面３Ｆ側又は背面４Ｆ側に開口し、第２開口２１２，２２２は、フレーム２０の背面４Ｆ側又は正面３Ｆ側に開口している。
【００２７】
また、本実施形態に係る眼鏡１は、フレーム２０の第１開口２１１，２２１内に設けられ、ツル３０，４０の第１開口２１１，２２１からの抜けを抑制する一対の第１突起部２１３，２２３と、第２開口２１２，２２２内に設けられ、ツル３０，４０をフレーム２０に対して所定の向きに係止する一対の第２突起部２１４，２２４とを備えている。このように、一対の第１突起部２１３，２２３により、ツル３０，４０がフレーム２０から抜けるのを抑制することができる。また、ツル３０，４０をフレーム２０に対して所定の向きに係止する一対の第２突起部２１４，２２４により、ツル３０，４０を展開した状態（第１状態）とツル３０，４０を折り畳んだ状態（第２状態）とを保持することができる。
【００２８】
また、本実施形態に係る眼鏡１のツル３０，４０は、フレーム２０と同一平面内でフレーム２０の上縁Ｆ１に沿って折り畳まれ、該折り畳まれた状態でフレーム２０の上縁Ｆ１の上側に位置する。このように、ツル３０，４０を折り畳んだ際に、ツル３０，４０がフレーム２０の上縁Ｆ１の上側に位置するため、ツル３０，４０を折り畳んだ際の厚みをフレーム２０の厚みと同一又は略同一とすることができる。
【符号の説明】
【００２９】
１  眼鏡
１０Ａ，１０Ｂ  レンズ
２０  フレーム
２０Ａ，２０Ｂ  リム部
２０Ｃ  ブリッジ
２０Ｄ，２０Ｅ  ノーズパッド
２０Ｆ，２０Ｇ  智
２１０，２２０  開口
２１１，２２１  第１開口
２１２，２２２  第２開口
２１３，２２３  一対の第１突起
２１４，２２４  一対の第２突起
３０，４０  ツル
３１０，４１０  一端
３１１，４１１  第１挿入部
３１２，４１２  第２挿入部
３１３，４１３  後端
Ｆ１  上縁
Ｆ２  下縁
Ｆ３  正面
Ｆ４  背面
【図１】
0003224253.tif 000003
【図２】
0003224253.tif 000004
【図３】
0003224253.tif 000005
【図４】
0003224253.tif 000006
【図５】
0003224253.tif 000007
【図６】
0003224253.tif 000008
【図７】
0003224253.tif 000009